(57)【要約】【課題】  レンズユニットとカメラ本体間のデータの送受信を高速で行うことが可能な小型のデジタルカメラを提供する。【解決手段】  デジタルカメラ１０は、カメラ本体１１と、このカメラ本体１１に着脱自在に装着されるレンズユニット１２とで構成されている。レンズユニット１２が、カメラ本体１１に装着されると、レンズユニット１２の各接点ＰＬ１〜ＰＬ２４と、カメラ本体１１の各接点ＰＢ１〜ＰＢ２４とが電気的に接続される。本体制御部６０は、ＵＡＲＴ６２ｂを制御して、ＵＡＲＴ４７ｂ，６２ｂ間で各接続部によって伝送される信号の種類を設定するための制御信号を送受信させ、各接続部によって伝送される信号の種類を設定させる。さらに、ユニット制御部４０及び本体制御部６０は、シリアルドライバ４７，６２の各々を制御することによって、各接続部を介して信号を送受信させる。【選択図】        図５
2007088575.tif 000002
【特許請求の範囲】
【請求項１】
撮影レンズ及び固体撮像素子を有するレンズユニットが、カメラ本体に着脱自在に装着され、前記レンズユニットが前記カメラ本体に装着された時に、前記レンズユニットに設けられたユニット側接点と、前記カメラ本体に設けられた本体側接点とが電気的に接続されるデジタルカメラにおいて、
前記ユニット側接点と前記本体側接点とが接続された複数の接続部のうち各接続部によって伝送される信号の種類を設定する設定手段と、
前記各接続部を介して、前記設定手段によって設定された信号を前記レンズユニットと前記カメラ本体との間で送受信する送受信手段と、
前記設定手段及び前記送受信手段を制御して、前記各接続部によって伝送される信号の種類を切り替えて、前記レンズユニットと前記カメラ本体との間で信号を送受信させる制御手段とを備えていることを特徴とするデジタルカメラ。
【請求項２】
静止画撮影を行う場合、前記制御手段が、前記設定手段及び前記送受信手段を制御し、前記複数の接続部のうち、ストロボの発光タイミングを指示するタイミング信号を伝送する接続部を使用して、前記固体撮像素子によって撮像された画像データを前記カメラ本体へ送信させることを特徴とする請求項１記載のデジタルカメラ。
【請求項３】
静止画撮影を行う場合、前記制御手段が、前記設定手段及び前記送受信手段を制御し、前記複数の接続部のうち、前記カメラ本体から前記レンズユニットにシャッタ信号を伝送する接続部によって前記シャッタ信号が送信された後、この接続部を介して、前記固体撮像素子によって撮像された画像データを前記カメラ本体へ送信させることを特徴とする請求項１記載のデジタルカメラ。
【請求項４】
前記カメラ本体には、動画撮影時に操作される動画撮影ボタンと、静止画撮影時に操作される前記シャッタボタンとが設けられており、前記動画撮影ボタンが操作されて動画撮影が行われている時に、シャッタボタンが操作されると静止画撮影が行われることを特徴とする請求項１ないし３のいずれか記載のデジタルカメラ。
【請求項５】
前記動画撮影ボタンが操作された時に、前記送受信手段によって、撮影開始及び撮影終了を指示する信号が、前記複数の接続部のうち、前記レンズユニットと前記カメラ本体との間で制御信号を伝送する接続部を介して前記レンズユニットへ送信され、前記シャッタボタンが操作された時に、この操作タイミングに連動したシャッタ信号が、前記複数の接続部のうち、前記シャッタ信号用の接続部を介して前記レンズユニットに送信されることを特徴とする請求項４記載のデジタルカメラ。
【発明の詳細な説明】
【技術分野】
【０００１】
本発明は、撮影レンズ及び固体撮像素子を備えたレンズユニットが、カメラ本体に着脱自在に装着されるデジタルカメラに関する。
【背景技術】
【０００２】
近年、ＣＣＤイメージセンサ等の固体撮像素子によって撮像された画像データをメモリカード等の記録メディアに記憶させるデジタルカメラが一般に利用されている。また、交換レンズがカメラ本体に着脱自在に装着されるデジタルカメラも知られている。
【０００３】
前述のようなデジタルカメラでは、交換レンズが着脱自在に装着されるマウント部がカメラ本体に設けられており、このマウント部には、被写体光をＣＣＤイメージセンサに入射させるための開口が形成されている。このため、カメラ本体内に塵埃が入り、ＣＣＤイメージセンサやその周辺部品に塵埃が付着して撮影画像の画質が劣化するという問題があった。このような問題を解決するために、ＣＣＤイメージセンサを交換レンズ内に一体に収納したレンズユニットが、カメラ本体に着脱自在に装着されるデジタルカメラが知られている（例えば、特許文献１参照）。
【特許文献１】特開平８−１７２５６１号公報
【発明の開示】
【発明が解決しようとする課題】
【０００４】
上記特許文献１に記載のデジタルカメラでは、レンズユニットとカメラ本体との間で、制御信号や撮影画像等のデータを送受信する必要がある。このため、レンズユニットとカメラ本体との各々に複数の接点を設け、レンズユニットがカメラ本体に装着された時に、これらが電気的に接続されてデータの送受信が可能にされている。しかしながら、レンズユニットとカメラ本体との間でのデータの送受信を高速で行わせる場合、接点の数を増やす必要があり、デジタルカメラが大型化するという問題や、製造コストが高くなるという問題がある。
【０００５】
本発明は、上記事情に鑑みてなされたものであり、大型化せずに、レンズユニットとカメラ本体間のデータの送受信を高速で行うことが可能なデジタルカメラを提供することを目的とする。
【課題を解決するための手段】
【０００６】
上記課題を解決するために、本発明のデジタルカメラは、撮影レンズ及び固体撮像素子を有するレンズユニットが、カメラ本体に着脱自在に装着され、前記レンズユニットが前記カメラ本体に装着された時に、前記レンズユニットに設けられたユニット側接点と、前記カメラ本体に設けられた本体側接点とが電気的に接続されるデジタルカメラであり、前記ユニット側接点と前記本体側接点とが接続された複数の接続部のうち各接続部によって伝送される信号の種類を設定する設定手段と、前記各接続部を介して、前記設定手段によって設定された信号を前記レンズユニットと前記カメラ本体との間で送受信する送受信手段と、前記設定手段及び前記送受信手段を制御して、前記各接続部によって伝送される信号の種類を切り替えて、前記レンズユニットと前記カメラ本体との間で信号を送受信させる制御手段とを備えていることを特徴とするものである。
【０００７】
また、静止画撮影を行う場合、前記制御手段が、前記設定手段及び前記送受信手段を制御し、前記複数の接続部のうち、ストロボの発光タイミングを指示するタイミング信号を伝送する接続部を使用して、前記固体撮像素子によって撮像された画像データを前記カメラ本体へ送信させることが好ましい。
【０００８】
さらに、静止画撮影を行う場合、前記制御手段が、前記設定手段及び前記送受信手段を制御し、前記複数の接続部のうち、前記カメラ本体から前記レンズユニットにシャッタ信号を伝送する接続部によって前記シャッタ信号が送信された後、この接続部を介して、前記固体撮像素子によって撮像された画像データを前記カメラ本体へ送信させても良い。
【０００９】
また、前記カメラ本体には、動画撮影時に操作される動画撮影ボタンと、静止画撮影時に操作される前記シャッタボタンとが設けられており、前記動画撮影ボタンが操作されて動画撮影が行われている時に、シャッタボタンが操作されると静止画撮影が行われることが好ましい。
【００１０】
さらに、前記動画撮影ボタンが操作された時に、前記送受信手段によって、撮影開始及び撮影終了を指示する信号が、前記複数の接続部のうち、前記レンズユニットと前記カメラ本体との間で制御信号を伝送する接続部を介して前記レンズユニットへ送信され、前記シャッタボタンが操作された時に、この操作タイミングに連動したシャッタ信号が、前記複数の接続部のうち、前記シャッタ信号用の接続部を介して前記レンズユニットに送信されることが好ましい。
【発明の効果】
【００１１】
本発明のデジタルカメラによれば、各接続部によって伝送される信号の種類を切り替えて、レンズユニットとカメラ本体との間で信号を送受信するので、１つの接続部を複数の信号の伝送に利用することが可能である。このため、ユニット側接点及び本体側接点のそれぞれ接点の数を減らすことが可能であり、デジタルカメラの小型化や、製造コストを低減することができる。
【００１２】
ストロボの発光タイミングを指示するタイミング信号を送信する接続部を使用して、画像データをカメラ本体へ転送させるので、ユニット側接点及び本体側接点のそれぞれの接点の数を減らすことができる。
【００１３】
ストロボの発光タイミングを指示するタイミング信号を送信する接続部を使用して、画像データをカメラ本体へ転送させるので、ユニット側接点及び本体側接点のそれぞれ接点の数を減らすことができる。
【００１４】
カメラ本体からレンズユニットへシャッタ信号を送信する接続部を使用して、画像データをカメラ本体へ転送させるので、ユニット側接点及び本体側接点のそれぞれ接点の数を減らせる。
【００１５】
動画撮影が行われている時に、シャッタボタンを操作することによって静止画撮影が可能であり、動画撮影中でもシャッタチャンスを逃さずに静止画撮影を行うことができる。
【００１６】
シャッタボタンが操作された時に、この操作タイミングに連動したシャッタ信号が、シャッタ信号用の接続部を介してレンズユニットに送信されるので、シャッタ信号を制御信号として送信する場合と比べて、シャッタボタンの操作と撮像処理との間に生じるタイムラグを小さくすることができる。
【発明を実施するための最良の形態】
【００１７】
図１に示すデジタルカメラ１０は、カメラ本体１１と、レンズユニット１２とを備えて構成されており、レンズユニット１２は、カメラ本体１１に着脱自在に装着される。
【００１８】
レンズユニット１２の前面には、撮影レンズ１３が露呈されており、背面にはマウント部１４が設けられている。このマウント部１４は、３つのバヨネット爪１５を備え、これらが外周に沿って等間隔に配置されている。また、このレンズユニット１２内には、撮影レンズ１３によって結像された被写体像を撮像する固体撮像素子であるＣＣＤイメージセンサ（以下、単にＣＣＤと称する）１６が設けられている。
【００１９】
また、カメラ本体１１の前面には、マウント部１７が設けられている。このマウント部１７は、３つのバヨネット溝１８を備えており、これらは外周に沿って等間隔に配置されている。前述のレンズユニット１２をカメラ本体１１に装着する場合、バヨネット爪１５をバヨネット溝１８に位置合わせして押し込み、時計回りに回転させることによって、レンズユニット１２がカメラ本体１１に装着される。なお、レンズユニット１２は、交換式のレンズユニットであり、このレンズユニット１２としては、撮影レンズ１３の焦点距離が異なるものや、ＣＣＤ１６の画素数が異なるもの、モノクロ撮影が可能なもの、赤外線撮影が可能なもの等の複数種類のレンズユニットが用意される。
【００２０】
また、マウント部１７には、ロックピン１９が設けられており、レンズユニット１２がカメラ本体１１に装着された時に、このロックピン１９が、マウント部１４に形成されたピン孔（図示せず）と係合して、レンズユニット１２の回転がロックされる。このため、レンズユニット１２が回転して、カメラ本体１１から脱落することが防止される。さらに、マウント部１７には、前方にバネ付勢されたマウント蓋２０が設けられており、レンズユニット１２が装着されていない時に、カメラ本体１１内に塵埃が侵入することが防止されている。
【００２１】
また、マウント部１７の近傍には、ロック解除ボタン２１が設けられている。レンズユニット１２がカメラ本体１１に装着されている時に、このロック解除ボタン２１が押圧操作されると、この操作に連動してロックピン１９が後方に移動し、ロックピン１９とピン孔（図示せず）との係合が解除される。このため、ロック解除ボタン２１を押圧しながら、レンズユニット１２を回転させることによって、レンズユニット１２をカメラ本体１１から取り外すことができる。
【００２２】
さらに、カメラ本体１１の前面上部には、ストロボ２４が設けられている。また、カメラ本体１１の上面には、静止画撮影時に押圧操作されるシャッタボタン２５と、動画撮影時に操作される動画撮影ボタン２６と、撮影モードと再生モードとを切り替える時に回転操作される切り替えダイヤル２７と、電源操作ボタン２８とが設けられている。また、図示せぬ背面には、後述するＬＣＤ（図４参照）７１が設けられている。
【００２３】
前述のバヨネット爪１５の背面には、図２に示すように、ユニット側接点であるマウント接点３０が設けられている。このマウント接点３０は、２４個の接点ＰＬ１〜ＰＬ２４で構成され、各バヨネット爪１５に８個ずつ設けられている。
【００２４】
また、マウント部１７には、図３に示すように、本体側接点であるマウント接点３１が設けられている。このマウント接点３１は、前述のマウント接点３０と同様に、２４個の接点ＰＢ１〜ＰＢ２４で構成され、各接点ＰＢ１〜ＰＢ２４は、レンズユニット１２がカメラ本体１１に装着された時に、前述の接点ＰＬ１〜ＰＬ２４の各々と接続される位置に配置されている。
【００２５】
次に、レンズユニット１２の電気的構成について説明する。図４に示すように、レンズユニット１２には、ユニット内の各部を制御するユニット制御部４０が設けられている。ユニット制御部４０は、各部を制御する制御プログラムが記憶されたＲＯＭ４０ａと、作業用データを一時的に記憶するＲＡＭ４０ｂとを備えている。ユニット制御部４０は、この制御プログラムに基づいて各部を制御する。
【００２６】
ユニット制御部４０には、ＣＣＤドライバ４１を介してＣＣＤ１６が接続されている。ユニット制御部４０は、ＣＣＤドライバ４１を制御してＣＣＤ１６を駆動する。ＣＣＤ１６は、撮影レンズ１３によって結像された被写体像を光電変換によって電気信号に変換して、撮像信号を出力する。
【００２７】
このＣＣＤ１６は、アナログ信号処理部４２と接続されており、撮像信号がアナログ信号処理部４２に出力される。アナログ信号処理部４２は、データバス４３を介してユニット制御部４０に接続されており、ユニット制御部４０によって制御される。アナログ信号処理部４２は、撮像信号に対してノイズの除去や増幅処理を施して、Ａ／Ｄ変換器４４に出力する。その後、ノイズの除去や増幅が施された撮像信号は、Ａ／Ｄ変換器４４によってアナログ信号からデジタル信号に変換され、画像データとして出力される。
【００２８】
Ａ／Ｄ変換器４４には、ＡＥ／ＡＦ検出部４５が接続されており、画像データが入力される。ＡＥ／ＡＦ検出部４５は、ユニット制御部４０によって制御され、露出が最適となるＡＥ検出値を検出してＡＥ検出値を出力する。さらに、ＡＥ／ＡＦ検出部４５は、画像データの高周波成分を積分して、この積分値が最大となるＡＦ検出値を出力する。
【００２９】
このＡＥ／ＡＦ検出部４５は、データバス４３を介してユニット制御部４０に接続されており、前述のＡＥ検出値及びＡＦ検出値がユニット制御部４０に出力される。ユニット制御部４０は、ＡＥ検出値に基づいてＣＣＤ１６の電子シャッタ速度を制御し、さらに、ＡＦ検出値に基づいて、撮影レンズ１３のフォーカスレンズを合焦位置に移動させる。
【００３０】
また、Ａ／Ｄ変換器４４には、ＹＣ変換部４６が接続されている。このＹＣ変換部４６は、Ａ／Ｄ変換器４４から取得した画像データに対してＹＣ変換処理を施す。また、データバス４３には、ユニット制御部４０、アナログ信号処理部４２、ＡＥ／ＡＦ検出部４５、及びＹＣ変換部４６の他に、シリアルドライバ４７が接続されている。
【００３１】
シリアルドライバ４７は、マウント接点３０に接続されており、カメラ本体１１との間で、画像データや制御信号等の送受信を行う送受信手段である。シリアルドライバ４７は、ＹＣ変換処理が施された画像データや、制御信号をシリアル信号に変換するとともに、マウント接点３０を介してカメラ本体１１へ送信する。また、制御信号を受信した場合、シリアル信号をパラレル信号に変換する。さらに、シャッタ信号や、ストロボ発光のタイミング信号等のダイレクト信号を送受信する場合は、前述のような変換処理を行わない。
【００３２】
また、マウント接点３０には、電源制御部４８が接続されている。この電源制御部４８には、バッテリ４９、及びＤＣ／ＤＣコンバータ５０が接続されており、さらに、バッテリ４９は、ＤＣ／ＤＣコンバータ５０に接続されている。電源制御部４８は、ＤＣ／ＤＣコンバータ５０を制御して、バッテリ４９から供給される電圧を所定の電圧に降圧させて、レンズユニット１２内の各部に電源供給させる。また、ＤＣ／ＤＣコンバータ５０は、マウント接点３０に接続されている。
【００３３】
次に、カメラ本体１１の電気的構成について説明する。カメラ本体１１には、本体内の各部を制御する本体制御部６０が設けられている。本体制御部６０は、各部を制御する制御プログラムが記憶されたＲＯＭ６０ａと、作業用データを一時的に記憶するＲＡＭ６０ｂとを備えている。本体制御部６０は、この制御プログラムに基づいて各部を制御する。
【００３４】
本体制御部６０には、データバス６１を介して、シリアルドライバ６２、メモリ６３、デジタル信号処理部６４、ＬＣＤドライバ６５、圧縮伸張処理部６６、メディアコントローラ６７、ストロボ制御部６８、及びＩ／Ｏポート６９が接続されている。
【００３５】
シリアルドライバ６２は、マウント接点３１に接続されており、レンズユニット１２と間で、画像データや制御信号等の送受信を行う送受信手段である。シリアルドライバ６２は、レンズユニット１２から画像データや制御信号を受信した場合、シリアル信号からパラレル信号に変換する。また、レンズユニット１２へ制御信号を送信する場合、パラレル信号からシリアル信号に変換して送信を行う。さらに、シャッタ信号や、ストロボ発光のタイミング信号等のダイレクト信号を送受信する場合は、前述のような変換処理を行わない。
【００３６】
メモリ６３には、シリアルドライバ６２によって受信された画像データが一時的に記憶される。なお、画像データとしては、解像度の低いスルー画用の画像データや、高解像度の記録用の画像データである。デジタル信号処理部６４は、画像データに対して階調変換、ホワイトバランス補正等の各種画像処理を施す。
【００３７】
撮影モードに設定されている場合、デジタル信号処理部６４によって画像処理が施された画像データは、ＬＣＤドライバ６５に入力される。本体制御部６０は、ＬＣＤドライバ６５を制御して画像データをＬＣＤ７１にスルー画として表示させる。
【００３８】
静止画撮影処理を行う場合、デジタル信号処理部６４によって画像処理が施された画像データが、圧縮伸張処理部６６によって、ＪＰＥＧ方式等の圧縮形式で圧縮処理が施される。その後、圧縮処理が施された画像データは、メディアコントローラ６７によって記録メディア７２に記録される。また、動画撮影処理を行う場合、圧縮伸張処理部６６によって、ＭＰＥＧ方式等の圧縮形式で圧縮処理が施されて、動画データが記録メディア７２に記録される。
【００３９】
ストロボ制御部６８は、ストロボ発光部２４を制御してストロボ光を発光させる。Ｉ／Ｏポート６９は、マウント接点３１を介してレンズユニット１２との間で信号の送受信を行う。電源制御部７０には、バッテリ７５、及びＤＣ／ＤＣコンバータ７６が接続されており、バッテリ７５とＤＣ／ＤＣコンバータ７６も接続されている。
【００４０】
また、電源制御部７０には、電源ＳＷ７７が接続されている。電源ＳＷ７７は、電源ボタンの操作によりＯＮ／ＯＦＦされ、ＯＮ信号及びＯＦＦ信号を電源制御部７０に出力する。電源制御部７０は、電源ＳＷ７７からＯＮ信号を取得すると、ＤＣ／ＤＣコンバータ７６を制御することによって、バッテリ７５の供給電圧を所定電圧に降圧して、本体内の各部へ供給させる。また、バッテリ７５は、マウント接点３１と接続されており、レンズユニット１２側に電力供給可能にされている。
【００４１】
また、本体制御部６０には、スイッチＳ１〜Ｓ３が接続されている。スイッチＳ１は、シャッタボタン２５が半押しされた時にＯＮにされるスイッチであり、スイッチＳ２は、シャッタボタン２５が全押しされた時にＯＮにされるスイッチである。また、スイッチＳ３は、動画撮影ボタン２６の操作によってＯＮ／ＯＦＦされるスイッチである。本体制御部６０は、これらのスイッチＳ１〜Ｓ３から操作信号を取得し、各操作信号に対応する処理を実行する。
【００４２】
以下に、カメラ本体１１とレンズユニット１２との間のデータの送受信について説明する。図５に示すように、シリアルドライバ４７は、接点ＰＬ１〜ＰＬ２１と接続されており、各接点を介してカメラ本体１１との間で送受信を行う。また、このシリアルドライバ４７は、ＬＶＤＳ（Low Voltage Differential Signaling）回路４７ａと、ＵＡＲＴ（Universal Asynchronous Receiver Transmitter）４７ｂとを備えている。
【００４３】
ＬＶＤＳ回路４７ａは、抵抗の両端の電位差を利用した低振幅の差動方式でデータをシリアル転送する回路であり、画像データをカメラ本体１１へ転送する。ＵＡＲＴ４７ｂは、パラレル信号をシリアル信号に変換して信号を送信したり、受信したシリアル信号をパラレル信号に変換する回路であり、制御信号の送受信に用いられる。
【００４４】
シリアルドライバ６２は、接点ＰＢ１〜ＰＢ２１と接続されており、各接点を介してレンズユニット１２との間で送受信を行う。このシリアルドライバ６２もシリアルドライバ４７と同様に、ＬＶＤＳ回路６２ａと、ＵＡＲＴ６２ｂとを備えている。ＬＶＤＳ回路６２ａは、ＬＶＤＳ４７ａから送信された画像データを受信する。
【００４５】
カメラ本体１１側の各接点ＰＢ１〜ＰＢ２４は、レンズユニット１２がカメラ本体１１に装着された時に、レンズユニット１２側の各接点ＰＬ１〜ＰＬ２４と接続される。例えば、接点ＰＬ１は、接点ＰＢ１と接続され、接点ＰＬ２４は、接点ＰＢ２４と接続される。
【００４６】
カメラ本体１１側のバッテリ７５は、接点ＰＢ２２と接続されており、レンズユニット１２側のＤＣ／ＤＣ５０は、接点ＰＬ２２と接続されている。このため、レンズユニット１２がカメラ本体１１に装着された時に、ＤＣ／ＤＣ５０は、接点ＰＬ２２，ＰＢ２２を介してバッテリ７５と接続される。このため、バッテリ７５からＤＣ／ＤＣ５０に電源供給することが可能であり、レンズユニット１２内にバッテリ４９がセットされていない場合や、バッテリ４９の残量がない場合でも、バッテリ７５によってレンズユニット１２側を駆動することが可能である。
【００４７】
また、カメラ本体１１側のＩ／Ｏポート７０は、接点ＰＢ２３、及び接点ＰＢ２４と接続されており、接点ＰＢ２４には、プルアップ抵抗８０が接続されている。また、レンズユニット１２側の電源制御部４８は、接点ＰＬ２３と接続されており、接点ＰＬ２４は接地されている。
【００４８】
レンズユニット１２がカメラ本体１１に装着されていない場合、接点ＰＢ２４の電位は、プルアップ抵抗８０によって例えば、５Ｖ程度に昇圧されており、Ｉ／Ｏポート７０には、Ｈｉ信号が入力される。また、レンズユニット１２がカメラ本体１１に装着された場合、接点ＰＢ２４は、接点ＰＬ２４と接続される。この接点ＰＬ２４は接地されているので、接点ＰＢ２４の電位は０Ｖとなり、Ｉ／Ｏポート７０にはＬｏｗ信号が入力される。
【００４９】
本体制御部６０は、このＩ／Ｏポート７０に入力される信号によって、レンズユニット１２の装着を検出する。つまり、本体制御部６０は、Ｉ／Ｏポート７０にＬｏｗ信号が入力された時に、レンズユニット１２の装着を検出する。
【００５０】
また、本体制御部６０は、電源ボタン２８が操作されてバッテリ７５から電源供給された時に、Ｉ／Ｏポート７０を介して、レンズユニット１２側の電源制御部４８に対して電源制御信号を出力する。電源制御部４８は、この電源制御信号を取得した時に、各部への電源供給を開始して、レンズユニット１２の電源がＯＮにされる。
【００５１】
シリアルドライバ４７，６２は、ＬＶＤＳ回路４７ａ，６２ａを駆動して、画像データをレンズユニット１２からカメラ本体１１に送信させる。また、シリアルドライバ４７，６２は、ＵＡＲＴ４７ｂ，６２ｂを駆動して、レンズユニット１２とカメラ本体１１との間で制御信号の送受信と、レンズユニット１２からカメラ本体１１へのステータス情報の送信とを行う。また、ＵＡＲＴ４７ｂ，６２ｂは、接点ＰＬ１〜ＰＬ２４と接点ＰＢ１〜ＰＢ２４とが接続された複数の接続部のうち、各接続部によって伝送される信号の種類を設定する設定手段であり、ＵＡＲＴ４７ｂ，６２ｂは、各接続部によって伝送される信号の種類を設定するための制御信号を送受信する。
【００５２】
また、シリアルドライバ４７，６２は、ストロボ２４の発光タイミングを指示する発光タイミング信号をレンズユニット１２からカメラ本体１１へ送信したり、シャッタボタン２５の操作タイミングに連動したシャッタ信号をカメラ本体１１からレンズユニット１２へ送信したりする。なお、発光タイミング信号は、ＣＣＤ１６による撮像処理と、ストロボ２４の発光を同期させるために、レンズユニット１２からカメラ本体１１に送信される信号である。また、シャッタ信号としては、シャッタボタン２５が半押しされた時のシャッタ信号（Ｓ１）と、全押しされた時のシャッタ信号（Ｓ２）とがある。
【００５３】
また、本体制御部６０は、制御プログラムに基づいて、ＵＡＲＴ６２ｂを制御して、ＵＡＲＴ４７ｂ，６２ｂ間で各接続部によって伝送される信号の種類を設定するための制御信号を送受信させて、各接続部によって伝送される信号の種類を設定させる。その後、ユニット制御部４０及び本体制御部６０が、シリアルドライバ４７，６２を制御することによって、設定された信号を各接続部によって送受信させる。
【００５４】
次に、上記構成のデジタルカメラ１０の静止画撮影処理について、図６のフローチャートを用いて説明する。電源ボタン２８が操作され、デジタルカメラ１０の電源がＯＮにされる。この時、ストロボ用ポートである接点ＰＬ１９，ＰＢ１９が、Ｈｉインピーダンスにされる。このように、接点ＰＬ１９，ＰＢ１９をＨｉインピーダンスにすることによって、信号の誤送信を防止する。
【００５５】
その後、本体制御部６０は、撮影モードに設定されているか否かを判定する。撮影モードに設定されていないと判定された場合、静止画撮影処理を終了する。撮影モードに設定されていると判定された場合、接点ＰＬ１３，ＰＢ１３、接点ＰＬ１４，ＰＬ１４を介して、ＵＡＲＴ４７ｂ，６２ｂ間で制御信号が送受信され、接点ＰＬ１９，ＰＢ１９がストロボ用の出力ポートに設定される。
【００５６】
本体制御部６０は、シャッタボタン２５が半押しされ、スイッチＳ１がＯＮにされているか否かを判定する。スイッチＳ１がＯＮにされていないと判定された場合、スイッチＳ１がＯＮにされるまで待機状態となる。
【００５７】
スイッチＳ１がＯＮにされたと判定された場合、本体制御部６０は、シャッタ信号（Ｓ１）をレンズユニット１２側に送信させる。レンズユニット１２は、このシャッタ信号（Ｓ１）を取得した後、ＡＥ処理やＡＦ処理等の撮影準備処理を行う。
【００５８】
その後、本体制御部６０は、シャッタボタン２５が全押しされて、スイッチＳ２がＯＮにされたか否かの判定を行う。スイッチＳ２がＯＮにされていないと判定された場合、スイッチＳ２がＯＮにされるまで待機状態となる。
【００５９】
スイッチＳ２がＯＮにされたと判定された場合、本体制御部６０は、レンズユニット１２からＡＥ検出値を取得して、ストロボ発光が必要か否かを判定する。ストロボ発光が必要であると判定された場合、レンズユニット１２によって撮像が行われる時に、ストロボ発光のタイミング信号が、接点ＰＬ１９，ＰＢ１９を介して、レンズユニット１２からカメラ本体１１へ送信される。このタイミング信号は、ＵＡＲＴ４７ｂ，６２ｂによって制御されずに、ユニット制御部４０に直接送信される。ストロボ制御部６８は、このタイミング信号に基づいて、ストロボ２４を制御して発光させる。
【００６０】
また、ストロボ発光が必要ではないと判定された場合、ストロボ発光タイミング信号は送信されないので、ストロボ２４を発光させずに撮像処理が行われる。
【００６１】
ＣＣＤ１６から出力された撮像信号は、アナログ信号処理部４２、Ａ／Ｄ変換部４４によって各種処理が施され、ＹＣ変換部４６に画像データとして出力される。ＹＣ変換部４６は、この画像データに対してＹＣ変換処理を施す。その後、接点ＰＬ１３，ＰＢ１３、及び接点ＰＬ１４，ＰＬ１４を介して、ＵＡＲＴ４７ｂ，６２ｂ間で制御信号が送受信され、接点ＰＬ１９，ＰＢ１９が、画像データ転送用ポート（データバス）に設定される。
【００６２】
この画像データは、ＬＶＤＳ回路４７ａによってシリアル信号に変換されて、レンズユニット１２からカメラ本体１１側に転送される。ＬＶＤＳ６２ａは、この画像データを受信するとともに、シリアル信号の画像データをパラレル信号に変換する。
【００６３】
本体制御部６０は、デジタル信号処理部６４を制御して、レンズユニット１２から受信した画像データに対して各種画像処理を施した後、圧縮伸張処理部６６を制御して画像データを圧縮する。その後、本体制御部６０は、メディアコントローラ６７を制御して記録メディア７２に画像データを記録して、静止画撮影処理が終了する。
【００６４】
このように、接点ＰＬ１９，ＰＢ１９をストロボ用の出力ポートや、画像データ転送用のポート（データバス）に切り替えて利用することによって、接点の数を減らすことが可能である。
【００６５】
前述の静止画撮影処理の説明では、接点ＰＬ１９，ＰＢ１９の接続部が、ストロボ用の出力ポートと、画像データ転送用のポート（データバス）とに切り替えられる場合を例に説明したが、接続部をシャッタ用のポートと画像データ転送用のポート（データバス）に切り替える場合について、図７のフローチャートを用いて説明する。
【００６６】
電源ボタン２８が操作され、デジタルカメラ１０の電源がＯＮにされると、本体制御部６０は、撮影モードに設定されているか否かを判定する。撮影モードに設定されていないと判定された場合、静止画撮影処理を終了する。
【００６７】
撮影モードに設定されていると判定された場合、接点ＰＬ１３，ＰＢ１３、接点ＰＬ１４，ＰＢ１４を介して、ＵＡＲＴ４７ｂ，６２ｂ間で制御信号が送受信され、接点ＰＬ２０，ＰＢ２０がシャッタ信号（Ｓ１）用の出力ポート、接点ＰＬ２１，ＰＢ２１がシャッタ信号（Ｓ２）用の出力ポートに設定される。
【００６８】
本体制御部６０は、シャッタボタン２５が半押しされ、スイッチＳ１がＯＮにされたか否かを判定する。スイッチＳ１がＯＮにされていないと判定された場合、スイッチＳ１がＯＮにされるまで待機状態となる。
【００６９】
スイッチＳ１がＯＮにされたと判定された場合、本体制御部６０は、シャッタ信号（Ｓ１）を接点ＰＢ２０，ＰＬ２０を介してレンズユニット１２側に送信する。このシャッタ信号（Ｓ１）は、ＵＡＲＴ４７ｂ，６２ｂによって制御されずに、ユニット制御部４０に直接送信される。
【００７０】
ユニット制御部４０は、このシャッタ信号（Ｓ１）を取得すると、各部を制御してＡＥ処理やＡＦ処理等の撮影準備処理を行う。その後、本体制御部６０は、シャッタボタン２５が全押しされ、スイッチＳ２がＯＮにされたか否かの判定を行う。スイッチＳ２がＯＮにされていないと判定された場合、スイッチＳ２がＯＮにされるまで待機状態となる。
【００７１】
スイッチＳ２がＯＮにされたと判定された場合、本体制御部６０は、このシャッタ信号（Ｓ２）を接点ＰＢ２１，ＰＬ２１を介してレンズユニット１２側に送信する。このシャッタ信号（Ｓ２）は、ＵＡＲＴ４７ｂ，６２ｂによって制御されずに、ユニット制御部４０に直接送信され、ユニット制御部４０は、各部を制御して撮像処理を実行する。
【００７２】
ＣＣＤ１６から出力された撮像信号は、アナログ信号処理部４２、Ａ／Ｄ変換部４４によって各種処理が施され、ＹＣ変換部４６に画像データとして出力される。ＹＣ変換部４６は、この画像データに対してＹＣ変換処理を施す。その後、接点ＰＬ１３，ＰＢ１３と、接点ＰＬ１４，ＰＬ１４とを介して、ＵＡＲＴ４７ｂ，６２ｂ間で制御信号が送受信され、接点ＰＬ２０，ＰＢ２０と、接点ＰＬ２１，ＰＢ２１とが、画像データ転送用ポート（データバス）に設定される。
【００７３】
この画像データは、ＬＶＤＳ回路４７ａによってシリアル信号に変換されて、レンズユニット１２からカメラ本体１１側に転送される。ＬＶＤＳ６２ａは、この画像データを受信するとともに、シリアル信号の画像データをパラレル信号に変換する。
【００７４】
本体制御部６０は、デジタル信号処理部６４を制御して、レンズユニット１２から受信した画像データに対して各種画像処理を施した後、圧縮伸張処理部を制御して画像データを圧縮する。その後、本体制御部６０は、メディアコントローラ６７を制御して記録メディア７２に画像データを記録させ、静止画撮影処理が終了する。
【００７５】
次に、デジタルカメラ１０にて、動画撮影中に静止画撮影を行う処理について、図８のフローチャートを用いて説明する。電源ボタン２８が操作され、デジタルカメラ１０の電源がＯＮにされると、本体制御部６０は、撮影モードに設定されているか否かを判定する。撮影モードに設定されていないと判定された場合、動画撮影処理を終了する。
【００７６】
撮影モードに設定されていると判定された場合、接点ＰＬ１３，ＰＢ１３、接点ＰＬ１４，ＰＢ１４を介して、ＵＡＲＴ４７ｂ，６２ｂ間で制御信号が送受信され、接点ＰＬ１〜ＰＬ４，ＰＢ１〜ＰＢ４が、動画撮影された画像データの転送用ポートに設定される。その後、本体制御部６０は、スイッチＳ３がＯＮにされたか否かを判定する。スイッチＳ３がＯＮにされていないと判定された場合、動画撮影処理を終了する。
【００７７】
また、スイッチＳ３がＯＮにされたと判定された場合、動画撮影の開始信号が、ＵＡＲＴ４７ｂ，６２ｂによって、接点ＰＢ１３，ＰＬ１３を介してレンズユニット１２側に制御信号として送信される。ユニット制御部４０は、ＵＡＲＴ４７ｂを介して開始信号を取得すると、各部を制御して所定の間隔で撮像処理を実行させ、接点ＰＬ１〜ＰＬ４，ＰＢ１〜ＰＢ４を介して、撮像された画像データをＬＶＤＳ回路４７ａ，６２ａでカメラ本体１１側に逐次転送する。
【００７８】
この画像データの転送中において、接点ＰＬ１３，ＰＢ１３、接点ＰＬ１４，ＰＢ１４を介して、ＵＡＲＴ４７ｂ，６２ｂ間で制御信号が送受信され、接点ＰＬ２１，ＰＢ２１が、シャッタ信号（Ｓ２）用の出力ポートに設定される。
【００７９】
本体制御部６０は、スイッチＳ２がＯＮにされたか否かの判定を行う。スイッチＳ２がＯＮにされていないと判定された場合、スイッチＳ３がＯＦＦにされたか否かを判定する処理に進む。
【００８０】
スイッチＳ２がＯＮにされたと判定された場合、本体制御部６０は、このシャッタ信号（Ｓ２）を接点ＰＢ２１，ＰＬ２１を介してレンズユニット１２側に送信する。このシャッタ信号（Ｓ２）は、ＵＡＲＴ４７ｂ，６２ｂによって制御されずに、ユニット制御部４０に直接送信され、各部を制御して、静止画撮像処理が行われる。この時、動画撮影のＡＥ，ＡＦ，及びＡＷＢの設定値を使用して、静止画撮像処理が行われる。
【００８１】
ＣＣＤ１６から出力された撮像信号は、アナログ信号処理部４２、Ａ／Ｄ変換部４４によって各種処理が施され、ＹＣ変換部４６に画像データとして出力される。ＹＣ変換部４６は、この画像データに対してＹＣ変換処理を施す。その後、接点ＰＬ１３，ＰＢ１３と、接点ＰＬ１４，ＰＬ１４とを介して、ＵＡＲＴ４７ｂ，６２ｂ間で制御信号が送受信され、接点ＰＬ２１，ＰＢ２１が、画像データ転送用ポート（データバス）に設定される。
【００８２】
この画像データは、ＬＶＤＳ回路４７ａによってシリアル信号に変換されて、レンズユニット１２からカメラ本体１１側に転送される。ＬＶＤＳ６２ａは、この画像データを受信するとともに、シリアル信号の画像データをパラレル信号に変換する。
【００８３】
本体制御部６０は、デジタル信号処理部６４を制御して、レンズユニット１２から受信した画像データに対して各種画像処理を施した後、圧縮伸張処理部６６を制御して画像データを圧縮する。この時、静止画の画像データは、ＪＰＥＧ方式で圧縮され、動画データは、ＭＰＥＧ方式で圧縮される。その後、本体制御部６０は、メディアコントローラ６７を制御して記録メディア７２に、圧縮済みの静止画像データと、圧縮済みの動画データを記録させる。
【００８４】
その後、本体制御部６０は、スイッチＳ３がＯＦＦにされたか否かを判定する。スイッチＳ３がＯＦＦにされていないと判定された場合、動画撮影を繰り返し行う。また、スイッチＳ３がＯＦＦにされたと判定された場合、動画撮影処理を終了する。
【００８５】
前述したように、ストロボ発光のタイミング信号やシャッタ信号は、ＵＡＲＴ４７ｂ，６２ｂによって制御されずに、ダイレクト信号としてユニット制御部４０に送信されるので、タイムラグを発生させずに迅速な処理を行うことができる。
【００８６】
なお、上記実施形態において、ストロボ用のタイミング信号を送信する接続部や、シャッタ信号を送信する接続部を画像データの転送に利用する場合を例に説明したが、これに限るものではなく、その他の接続部を複数種類の信号の送受信に利用しても良い。
【００８７】
また、上記実施形態において、ＹＣ変換処理が施された画像データをレンズユニットからカメラ本体に転送する場合を例に説明したが、これに限るものではなく、Ａ／Ｄ変換後の画像データを転送しても良いし、圧縮処理後の画像データを転送しても良い。
【００８８】
さらに、上記実施形態において、固体撮像素子としてＣＣＤイメージセンサを用いる場合を例に説明したが、これに限るものではなく、ＣＭＯＳイメージセンサを用いても良い。
【００８９】
また、上記実施形態において、本発明をデジタルカメラに適用した場合を例に説明したが、これに限るものではなく、例えば、レンズユニットがカメラ本体に着脱自在に装着されるデジタルビデオカメラに本発明を適用しても良い。
【図面の簡単な説明】
【００９０】
【図１】デジタルカメラの構成を示す斜視図である。
【図２】レンズユニットの背面側の構成を示す平面図である。
【図３】カメラ本体のマウント部の構成を示す平面図である。
【図４】デジタルカメラの電気的構成を示すブロック図である。
【図５】レンズユニットとカメラ本体間の信号の送受信を示すブロック図である。
【図６】ストロボ発光のタイミング信号を送信する接続部を画像データの転送に用いる場合の静止画撮影処理を説明するフローチャートである。
【図７】シャッタ信号を送信する接続部を画像データの転送に用いる場合の静止画撮影処理を説明するフローチャートである。
【図８】動画撮影中に静止画撮影を行う場合の撮影処理を説明するフローチャートである。
【符号の説明】
【００９１】
１０  デジタルカメラ
１１  カメラ本体
１２  レンズユニット
１３  撮影レンズ
１６  ＣＣＤ
２５  シャッタボタン
２６  動画撮影ボタン
３０，３１  マウント接点
４０  ユニット制御部
４７，６２  シリアルドライバ
４７ａ，６２ａ  ＬＶＤＳ
４７ｂ，６２ｂ  ＵＡＲＴ
６０  本体制御部
ＰＬ１〜ＰＬ２４  接点
ＰＢ１〜ＰＢ２４  接点
【図１】
2007088575.tif 000003
【図２】
2007088575.tif 000004
【図３】
2007088575.tif 000005
【図４】
2007088575.tif 000006
【図５】
2007088575.tif 000007
【図６】
2007088575.tif 000008
【図７】
2007088575.tif 000009
【図８】
2007088575.tif 000010